【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
熱エネルギー検出装置であり、
デジタル赤外線カメラもしくは他の熱センサーと、
前記デジタル赤外線カメラもしくは他の熱センサーの環境制御をもたらす保護筺体と、
前記デジタル赤外線カメラもしくは他の熱センサーから対象物への観察経路であって、該観察経路のガスパージ、ガス陽圧流及び一以上の物理的封じ込めの少なくとも一つにより制御される観察経路と、
前記観察経路の前記一以上の物理的封じ込めと組み合わされて、一以上の障害物の周囲で前記観察経路を操作する一以上の前面ミラーと
を備える熱エネルギー検出装置。
【請求項２】
限定的ではないが煙、泡、水、蒸気、霧及びほこりによる前記観察経路内での一時的な障害物に起因する望ましくない信号ノイズを物理的に制御するとともに、一以上の特定の波長範囲のフィルタリングにより、前記望ましくない信号ノイズを電磁的に制御するための一以上のレンズ、一以上のフィルター及び／又は一以上の窓を更に備える請求項１に記載の熱エネルギー検出装置。
【請求項３】
溶接プロセスのための熱エネルギー検出及び処理システムであり、該熱エネルギー検出及び処理システムが、
溶接プロセス領域の一連の時系列の熱エネルギーデータ配列もしくはデータストリームセットを保存するための熱エネルギー検出装置と、
一以上の溶接検出プロセスソフトウェアプログラムを実行するための溶接データ配列もしくはデータストリーム処理システムであって、前記溶接データ配列もしくはデータストリーム処理システムが、前記溶接プロセス領域の一連の時系列の熱エネルギーデータ配列もしくはデータストリームセットを受信し、前記一連の時系列の熱エネルギーデータ配列もしくはデータストリームセットのそれぞれが、前記溶接データ配列もしくはデータストリーム処理システムにより処理されて、前記一連の時系列の熱エネルギーデータ配列もしくはデータストリームセットのそれぞれのための熱エネルギーデータセット出力を生成する溶接データ配列もしくはデータストリーム処理システムと
を備える溶接プロセスのための熱エネルギー検出及び処理システム。
【請求項４】
前記一連の時系列の熱エネルギーデータ配列もしくはデータストリームセットが、放射率、視野角及びアンビエント照明レベルの影響を受けず、前記放射率のユーザ入力を必要としない請求項３に記載の熱エネルギー検出及び処理システム。
【請求項５】
前記一連の時系列の熱エネルギーデータ配列もしくはデータストリームセットが、関連するマルチビット関数に変換されて、温度値を含む溶接加熱入力又は溶接熱エネルギーを表す請求項３又は４に記載の熱エネルギー検出及び処理システム。
【請求項６】
少なくとも一のシステムユーザ出力装置への前記熱エネルギーデータセット出力の表示のための溶接データ配列もしくはデータストリーム処理システムユーザ出力を更に備える請求項３〜５のいずれか一項に記載の熱エネルギー検出及び処理システム。
【請求項７】
前記溶接データ配列もしくはデータストリーム処理システムへのシステムユーザ入力のための溶接データ配列もしくはデータストリーム処理システムユーザ入力装置を更に備える請求項３に記載の熱エネルギー検出及び処理システム。
【請求項８】
前記溶接データ配列もしくはデータストリーム処理システムユーザ出力が、前記熱エネルギーデータセット出力のデータログ及び少なくとも一のトレンディングチャートを更に備え、それにより、前記熱エネルギーデータセット出力が、前記溶接プロセスにおける期間、前記溶接プロセスで溶接される管状製品の長さ、及び／又は、前記溶接プロセスで溶接される製品の固有の製品識別子の関数として表され得る請求項６に記載の熱エネルギー検出及び処理システム。
【請求項９】
前記溶接データ配列もしくはデータストリーム処理システムユーザ入力装置が、外部の制御システムへのワイヤレスもしくはイーサネット（登録商標）リンクを介して、又は、前記溶接データ配列もしくはデータストリーム処理システムユーザ入力装置及び一次ユーザ入力ステーションから分離した部屋もしくは位置でアクセスされるリモート溶接検出プロセスソフトウェアプログラムアクセス監視及び制御装置を備える請求項７に記載の熱エネルギー検出及び処理システム。
【請求項１０】
前記溶接データ配列もしくはデータストリーム処理システムユーザ入力装置が、
前記熱エネルギーデータセット出力のための一以上の対象熱エネルギーデータ値を特定する第一ユーザ入力フィールド、
前記熱エネルギーデータセット出力のための対象熱エネルギーデータ値の許容範囲を特定する第二ユーザ入力フィールド、
一以上の溶接領域セットアップ詳細のための第三ユーザ入力フィールド、並びに、
前記溶接プロセスで溶接される製品の一以上の詳細のための第四ユーザ入力フィールドの手段を更に備える請求項７に記載の熱エネルギー検出及び処理システム。
【請求項１１】
前記熱エネルギーデータセット出力を、溶接プロセスコントローラに送信する溶接データ配列もしくはデータストリーム処理システム溶接プロセス制御出力を更に備える請求項３〜１０のいずれか一項に記載の熱エネルギー検出及び処理システム。
【請求項１２】
溶接プロセスコントローラから一以上の溶接プロセス出力を受信するための溶接データ配列もしくはデータストリーム処理システム溶接プロセス制御入力を更に備える請求項３〜１１のいずれか一項に記載の熱エネルギー検出及び処理システム。
【請求項１３】
プロセスパラメータ単位スケールを一致させるため、前記一以上の溶接プロセスコントローラ出力を変更するスケーリング関数を更に備える請求項１２に記載の熱エネルギー検出及び処理システム。
【請求項１４】
比例ゲイン制御又は比例・積分・微分制御を更に備え、前記比例ゲイン制御又は前記比例・積分・微分制御が、前記一以上の溶接プロセス出力を受信する前記溶接データ配列もしくはデータストリーム処理システム溶接プロセス制御入力、前記熱エネルギーデータセット出力のための一以上の対象熱エネルギーデータ値を特定するユーザ入力、並びに、前記溶接プロセスコントローラへの前記熱エネルギーデータセット出力に基くものである請求項１２に記載の熱エネルギー検出及び処理システム。
【請求項１５】
前記熱エネルギーデータセット出力が、少なくとも一の溶接プロセス領域特性を備える請求項３〜１４のいずれか一項に記載の熱エネルギー検出及び処理システム。
【請求項１６】
前記熱エネルギーデータセット出力が、溶接プロセス領域熱エネルギーデータを備える請求項３〜１４のいずれか一項に記載の熱エネルギー検出及び処理システム。
【請求項１７】
前記熱エネルギーデータセット出力が、溶接プロセス領域の前記一連の時系列の熱エネルギーデータ配列もしくはデータストリームセットの前記熱エネルギーデータセット出力における変動のための前記溶接データ配列もしくはデータストリーム処理システムにより保存されて分析される請求項３に記載の熱エネルギー検出及び処理システム。
【請求項１８】
溶接プロセス変動により生じる望ましくない信号ノイズのデジタル及び数学的データフィルタリングを更に備え、前記溶接プロセス変動が、限定的ではないが煙、泡、蒸気、霧及びほこりを含む請求項１７に記載の熱エネルギー検出及び処理システム。
【請求項１９】
前記溶接プロセスが、チューブのための電気抵抗溶接プロセスであり、前記少なくとも一の溶接プロセス領域特性が、一以上の溶接プロセス領域背景特性の少なくとも一の熱エネルギーコントラストデータ配列を備え、前記一以上の溶接プロセス領域背景特性が、一対のブイエッジの下方に位置する前記チューブの内側部位又は、前記一対のブイエッジの下方の前記チューブ内に配置されたインピーダの表面と、溶接領域；溶接ブイ；一対のブイエッジを形成する第一溶接ブイエッジ及び、前記第一溶接ブイエッジの反対側の第二溶接ブイエッジ；ブイ溶接点；ブイシーム点のうちの少なくとも一つと、ブイ端部に最も近い一対の溶接ロール；前記溶接ブイに最も近接する溶接加熱要素のブイ対向端部のうちの少なくとも一つとを備える請求項１５に記載の熱エネルギー検出及び処理システム。
【請求項２０】
前記少なくとも一の熱エネルギーコントラストデータ配列が、前記溶接ブイの前記第一溶接ブイエッジ及び前記第二溶接ブイエッジと、前記一連の時系列の熱エネルギーデータ配列もしくはデータストリームセットのそれぞれからの前記一以上溶接プロセス領域背景特性との間の第一熱エネルギーコントラストデータ配列を備える請求項１９に記載の熱エネルギー検出及び処理システム。
【請求項２１】
前記溶接プロセスが電気抵抗溶接プロセスであり、前記熱エネルギーデータセット出力が、少なくとも一のシステムユーザ出力装置へ出力される相対的溶接領域位置決めデータを更に備え、前記相対的溶接領域位置決めデータが、前記少なくとも一の熱エネルギーコントラストデータ配列からの溶接ブイの前記第一溶接ブイエッジ及び前記第二溶接ブイエッジの曲線の線形化から、前記溶接データ配列もしくはデータストリーム処理システムにより計算されるものであり、相対的溶接プロセス位置決めデータが、ブイ長さ、ブイ相対位置、ブイ溶接点相対位置、溶接加熱要素及びロールのブイ対向端部の少なくとも一つを備える請求項１９に記載の熱エネルギー検出及び処理システム。
【請求項２２】
前記溶接プロセス領域熱エネルギーデータが、溶接プロセス領域内に位置する関心のある熱エネルギー溶接領域から、前記溶接データ配列もしくはデータストリーム処理システム内での前記一以上溶接検出プロセスソフトウェアプログラムの実行により計算される請求項１６に記載の熱エネルギー検出及び処理システム。
【請求項２３】
前記溶接プロセス領域熱エネルギーデータが、相対ブイ熱の測定及び生成を更に備える請求項２２に記載の熱エネルギー検出及び処理システム。
【請求項２４】
前記一連の時系列の熱エネルギーデータ配列もしくはデータストリームセットのそれぞれが、ピクセルの配列を備え、前記一連の時系列の熱エネルギーデータ配列もしくはデータストリームセットのそれぞれにおいて関心のある前記熱エネルギー溶接領域内で前記ピクセルの配列のそれぞれに割り当てられる絶対的もしくは相対的熱エネルギー値が、前記一以上の溶接検出プロセスソフトウェアプログラムを実行する前記溶接データ配列もしくはデータストリーム処理システムにより、関心のある単一部位の絶対的もしくは相対的熱エネルギー値に平均化され、それにより、前記溶接データ配列もしくはデータストリーム処理システムから出力される熱エネルギー溶接領域データが、前記一連の時系列の熱エネルギーデータ配列もしくはデータストリームセットのそれぞれのための一連の関心のある単一部位の絶対的もしくは相対的熱エネルギー値を備える請求項２２に記載の熱エネルギー検出及び処理システム。
【請求項２５】
前記溶接プロセス領域熱エネルギーデータが、溶接プロセス領域内に位置する関心のある複数の熱エネルギー溶接領域から、前記一以上の溶接検出プロセスソフトウェアプログラムの実行により計算される請求項１６に記載の熱エネルギー検出及び処理システム。
【請求項２６】
前記一連の時系列の熱エネルギーデータ配列もしくはデータストリームセットのそれぞれが、ピクセルの配列を備え、前記一連の時系列の熱エネルギーデータ配列もしくはデータストリームセットのそれぞれにおいて関心のある前記複数の熱エネルギー溶接領域のそれぞれでピクセルの配列のそれぞれに割り当てられた絶対的もしくは相対的熱エネルギー値が、前記一以上の溶接検出プロセスソフトウェアプログラムを実行する前記溶接データ配列もしくはデータストリーム処理システムにより、単一の絶対的もしくは相対的熱エネルギー値に平均化され、前記一連の時系列の熱エネルギーデータ配列もしくはデータストリームセットのそれぞれにおける関心のある前記複数の熱エネルギー溶接領域の全ての単一の前記絶対的もしくは相対的熱エネルギー値が、集合加重平均絶対的もしくは相対的熱エネルギー値として数学的に合計され、それにより、少なくとも一のシステムユーザ出力装置へ出力される前記熱エネルギー溶接領域データが、前記一連の時系列の熱エネルギーデータ配列もしくはデータストリームセットのそれぞれのための一連の前記集合加重平均絶対的もしくは相対的熱エネルギー値を備える請求項２５に記載の熱エネルギー検出及び処理システム。
【請求項２７】
前記一連の時系列の熱エネルギーデータ配列もしくはデータストリームセットが、ピクセルの配列を備え、前記一連の時系列の熱エネルギーデータ配列もしくはデータストリームセットのそれぞれにおける関心のある前記複数の熱エネルギー溶接領域の一部としての配列内の前記ピクセルのそれぞれに割り当てられる絶対的もしくは相対的熱エネルギー値が、前記一連の時系列の熱エネルギーデータ配列もしくはデータストリームセットのそれぞれにおける関心のある前記複数の熱エネルギー溶接領域の全ての絶対的もしくは相対的熱エネルギープロファイルを表す曲線もしくは曲線の集合を生成するべく処理され、集合加重平均絶対的もしくは相対的熱エネルギープロファイルとして数学的に合計され、それにより、前記熱エネルギー溶接領域データが少なくとも一のシステムユーザ出力装置へ出力され、前記熱エネルギー溶接領域データが、前記一連の時系列の熱エネルギーデータ配列もしくはデータストリームセットのそれぞれのための前記集合加重平均絶対的もしくは相対的熱エネルギープロファイルを備える請求項２５に記載の熱エネルギー検出及び処理システム。
【請求項２８】
前記溶接プロセス熱エネルギーデータが、溶接プロセス領域内に位置する熱源の放射率を備える請求項１６に記載の熱エネルギー検出及び処理システム。
【請求項２９】
溶接プロセスを制御する方法であり、該方法が、
溶接プロセス領域の一連の時系列の熱エネルギーデータ配列もしくはデータストリームセットを検出すること、
溶接データ配列もしくはデータストリーム処理システム内の溶接検出プロセスソフトウェアプログラムを実行すること、
前記溶接プロセス領域の前記一連の時系列の熱エネルギーデータ配列もしくはデータストリームセットを、前記溶接データ配列もしくはデータストリーム処理システムに送信すること、
前記一連の時系列の熱エネルギーデータ配列もしくはデータストリームセットのそれぞれのための熱エネルギーデータセット出力を生成し、前記熱エネルギーデータセット出力が、少なくとも一の溶接プロセス領域特性又は、溶接プロセス領域熱エネルギーデータを備えること、及び、
前記熱エネルギーデータセット出力を、溶接プロセスシステムインターフェースに送信すること
を備える方法。
【請求項３０】
前記溶接プロセスシステムインターフェースが、溶接データ配列もしくはデータストリーム処理システムユーザ入力もしくは出力装置、又は、溶接プロセスコントローラを備える請求項２９に記載の方法。
【請求項３１】
前記熱エネルギーデータセット出力を、工場プロセスシステムに送信することを更に備え、前記工場プロセスシステムが、一以上のプロセス制御限界から外れる不適合工場製品の一の特定もしくは一のマーキングを引き起こす指標システムを含む請求項２９又は３０に記載の方法。
【請求項３２】
前記熱エネルギーデータセット出力を、工場切断システムに送信することを更に備え、前記工場切断システムが、工場製品の切断長さの変化又は、前記溶接プロセスの電気溶接周波数の変化を引き起こす制御を含む請求項２９〜３１のいずれか一項に記載の方法。
【請求項３３】
一の二次データ処理のための前記熱エネルギーデータセット出力を記録し、一のプロセス変動性を決定するための方法を更に備える請求項２９に記載の方法。